(57)【要約】【課題】  比較的安価に済み有効な避難場所として機能を発揮できる津波・洪水等の非常事態からの避難装置を提供すること。【解決手段】  ３本以上の辺からなる正多角形の頂点位置に対応すべく設置基盤から固定して立設される複数本の支柱と、これら支柱の隣合う間を正多角形をなすように相互に連結しかつ上下に複数階に亘るように配される横連結材と、支柱と最も上層階の横連結材を利用して構成される上避難ステージと、地上からの避難者を設置基盤から各階ごとに介して上避難ステージまで導くことのできる階段である昇降手段とを備えており、前記支柱のうち周方向において隣合う２本は、襲来してくる津波に同時直面して対抗し得る配置関係に設定されているとともに、前記各階を結ぶ昇降手段のうち上避難ステージとその下層階とを結ぶ階段は、前記支柱の外周囲に配置されていることを特徴とする。【選択図】  図１
2005264721.tif 000002
【特許請求の範囲】
【請求項１】
３本以上の辺からなる正多角形の頂点位置に対応すべく設置基盤から固定して立設される複数本の支柱と、これら支柱の隣合う間を正多角形をなすように相互に連結しかつ上下に複数階に亘るように配される横連結材と、支柱と最も上層階の横連結材を利用して構成される上避難ステージと、地上からの避難者を設置基盤から各階ごとに介して上避難ステージまで導くことのできる階段である昇降手段とを備えており、前記支柱のうち周方向において隣合う２本は、襲来してくる津波に同時直面して対抗し得る配置関係に設定されているとともに、前記各階を結ぶ昇降手段のうち上避難ステージとその下層階とを結ぶ階段は、前記支柱の外周囲に配置されていることを特徴とする津波・洪水等の非常事態からの避難装置。
【請求項２】
請求項１記載のものにおいて、上避難ステージの下層階に相当する階には、複数本の支柱で囲まれるように中間内避難ステージが形成されている津波・洪水等の非常事態からの避難装置。
【請求項３】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージや支柱などの装置本体側の高い個所と設置基盤との間に牽きワイヤを張るとともに、同牽きワイヤは、その外周に弾性質の波切り部材を配備していることを特徴とする津波・洪水等の非常事態からの避難装置。
【請求項４】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、設置基盤内に埋め込まれた受パイプ内に挿通されるとともに、受パイプと支柱間には、弾性質の緩衝材が介装されていることを特徴とする津波・洪水等の非常事態からの避難装置。
【請求項５】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、下端にフランジを備え、同フランジは、フランジ面外に伸びる部分にアンカーを介して固定される押さえ板により弾性部材を介して押さえ付けられていることを特徴とする津波・洪水等の非常事態からの避難装置。
【請求項６】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージや支柱等の装置本体側の高い個所ど設置基盤との間には、格子状をなす防護梯子をその下端が装置本体側より離間するようにして斜め張り式に張られていることを特徴とする津波・洪水等の非常事態からの避難装置。
【請求項７】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、複数本併設式で相互間が連結されてなる津波・洪水等の非常事態からの避難装置。
【請求項８】
請求項７記載の津波・洪水等の非常事態からの避難装置において、相互間を連結する部分も避難ステージになっている津波・洪水等の非常事態からの避難装置。
【請求項９】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージを含む支柱は、上下に差込式で連結して構成されていることを特徴とする津波・洪水等の非常事態からの避難装置。
【請求項１０】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、支柱は１本あるいは２本であり、前記昇降手段は１本の斜めの階段からなり、その上端が避難ステージに連結されるとともに上下間は支柱の側方を通って支柱側に連結される一方下端は地上側に固定されていることを特徴とする津波・洪水等の非常事態からの避難装置。
【請求項１１】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、津波の襲来する方向を基準にして１本の支柱の後側に相当する個所に、避難ステージから地上側に至る高さ範囲に略三角形の側面形状をした背支持部を左右対向状の面を備えて設けるとともに、同背支持部内を介して昇降手段を設けたことを特徴とする津波・洪水等の非常事態からの避難装置。
【請求項１２】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージの底面部には、非常用の食料や用具などを収めることの可能な空間を備え上蓋が開閉自在なステージ面を兼ねる収納部が設けられていることを特徴とする津波・洪水等の非常事態からの避難装置。
【請求項１３】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は１本でその前後には、補助支柱の一対が離れて平行に設けられるとともに、これら補助支柱と支柱との間に昇降手段であるステップが梯子状に設けられていることを特徴とする津波・洪水等の非常事態からの避難装置。
【請求項１４】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、一対の平行な部材でなるとともに、昇降手段は、支柱間に上下多数段に配備されたステップであり、そのステップの下側のものは、支柱とともに前記固定する手段の一部を構成していることを特徴とする津波・洪水等の非常事態からの避難装置。
【請求項１５】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、支柱は互いに離れた複数本で構成され、これら支柱間には、避難ステージ側と設置基盤側とを垂直につなぐ複数本の昇降ガイドが設けられ、これら各ガイドに添って個別的に上下運動可能な昇降機が設けられていることを特徴とする津波・洪水等の非常事態からの避難装置。
【請求項１６】
避難ステージと、同避難ステージ側に回転自在に一端が連結された少なくとも一対の梯子体とを備え、避難ステージが高く持ち上がるようにして梯子体を立ち上げるとともに梯子体の下端を設置基盤側に固定することで設置されるようになっている津波・洪水等の非常事態からの避難装置。
【請求項１７】
３面の梯子体と、これら梯子体を三角柱状をなすように連結する手段と、３面の梯子体を設置基盤側に固定する手段と、３面の梯子体の内部に設けられた避難ステージとを有する津波・洪水等の非常事態からの避難装置。
【請求項１８】
１本の梯子体と、設置基盤に固定可能でかつ梯子体の基部を立ち上がり状に固定可能な架台と、梯子体の立ち上がる上部に設けられる避難ステージとを備えた津波・洪水等の非常事態からの避難装置。
【請求項１９】
１本の梯子体と、同梯子体の基部側に回転可能に連結された一対の座梯子体と、前記１本の梯子体に設けられた避難ステージとを備え、座梯子体の一対を梯子体から開き設置基盤側に固定することで梯子体を立設固定可能に構成した津波・洪水等の非常事態からの避難装置。
【請求項２０】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、津波の襲来する方向に対し前後に一対でなり、これら支柱の外周を介して階段である昇降手段と踊り場が設けられこれら階段と踊り場との外周には、外部と区画する縦桟が配備されていることを特徴とする津波・洪水等の非常事態からの避難装置。
【請求項２１】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記昇降手段である階段は、上階にゆくに従って緩い傾斜角をなすように設定されていることを特徴とする津波・洪水等の非常事態からの避難装置。
【請求項２２】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記昇降手段である階段は、その踏み板間が少なくとも津波襲来時において該津波の流れを通過させ得るように構成されていることを特徴とする津波・洪水等の非常事態からの避難装置。
【請求項２３】
設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、昇降手段である階段に添ってカバーを付し、同カバーは、津波襲来時において破壊・回転などにより回避可能で津波の流れを通過させ得るようになっていることを特徴とする津波・洪水等の非常事態からの避難装置。
【発明の詳細な説明】
【技術分野】
【０００１】  この発明は、津波・洪水等の非常事態からの避難装置に関する。
【背景技術】
【０００２】  古来から巨大地震が発生すると当然のように津波（非常事態の１つ）が発生し、この津波は海岸線から押し寄せて大勢の人や民家などを呑み込み甚大な被害を与えてきたことはよく知られている。
【発明の開示】
【発明が解決しようとする課題】
【０００３】  しかし、これまでは、大規模な堤防や水門を造って津波に対処するだけで、有効な津波対策は講じられていなかったのが現状である。
【課題を解決するための手段】
【０００４】この発明は前記課題を解決するためになされたもので、請求項１記載の発明は、３本以上の辺からなる正多角形の頂点位置に対応すべく設置基盤から固定して立設される複数本の支柱と、これら支柱の隣合う間を正多角形をなすように相互に連結しかつ上下に複数階に亘るように配される横連結材と、支柱と最も上層階の横連結材を利用して構成される上避難ステージと、地上からの避難者を設置基盤から各階ごとに介して上避難ステージまで導くことのできる階段である昇降手段とを備えており、前記支柱のうち周方向において隣合う２本は、襲来してくる津波に同時直面して対抗し得る配置関係に設定されているとともに、前記各階を結ぶ昇降手段のうち上避難ステージとその下層階とを結ぶ階段は、前記支柱の外周囲に配置されていることを特徴とする。
請求項２記載の発明は、請求項１記載のものにおいて、上避難ステージの下層階に相当する階には、複数本の支柱で囲まれるように中間内避難ステージが形成されている。
請求項３記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージや支柱などの装置本体側の高い個所と設置基盤との間に牽きワイヤを張るとともに、同牽きワイヤは、その外周に弾性質の波切り部材を配備していることを特徴とする。
請求項４記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、設置基盤内に埋め込まれた受パイプ内に挿通されるとともに、受パイプと支柱間には、弾性質の緩衝材が介装されていることを特徴とする。
請求項５記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、下端にフランジを備え、同フランジは、フランジ面外に伸びる部分にアンカーを介して固定される押さえ板により弾性部材を介して押さえ付けられていることを特徴とする。
請求項６記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージや支柱等の装置本体側の高い個所と設置基盤との間には、格子状をなす防護梯子をその下端が装置本体側より離間するようにして斜め張り式に張られていることを特徴とする。
請求項７記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、複数本併設式で相互間が連結されてなる。
請求項８記載の発明は、請求項７記載の津波・洪水等の非常事態からの避難装置において、相互間を連結する部分も避難ステージになっている。
請求項９記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージを含む支柱は、上下に差込式で連結して構成されていることを特徴とする。
請求項１０記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、支柱は１本あるいは２本であり、前記昇降手段は１本の斜めの階段からなり、その上端が避難ステージに連結されるとともに上下間は支柱の側方を通って支柱側に連結される一方下端は地上側に固定されていることを特徴とする。
請求項１１記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、津波の襲来する方向を基準にして１本の支柱の後側に相当する個所に、避難ステージから地上側に至る高さ範囲に略三角形の側面形状をした背支持部を左右対向状の面を備えて設けるとともに、同背支持部内を介して昇降手段を設けたことを特徴とする。
請求項１２記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記避難ステージの底面部には、非常用の食料や用具などを収めることの可能な空間を備え上蓋が開閉自在なステージ面を兼ねる収納部が設けられていることを特徴とする。
請求項１３記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は１本でその前後には、補助支柱の一対が離れて平行に設けられるとともに、これら補助支柱と支柱との間に昇降手段であるステップが梯子状に設けられていることを特徴とする。
請求項１４記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、一対の平行な部材でなるとともに、昇降手段は、支柱間に上下多数段に配備されたステップであり、そのステップの下側のものは、支柱とともに前記固定する手段の一部を構成していることを特徴とする。
請求項１５記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、支柱は互いに離れた複数本で構成され、これら支柱間には、避難ステージ側と設置基盤側とを垂直につなぐ複数本の昇降ガイドが設けられ、これら各ガイドに添って個別的に上下運動可能な昇降機が設けられていることを特徴とする。
請求項１６記載の発明は、避難ステージと、同避難ステージ側に回転自在に一端が連結された少なくとも一対の梯子体とを備え、避難ステージが高く持ち上がるようにして梯子体を立ち上げるとともに梯子体の下端を設置基盤側に固定することで設置されるようになっている。
請求項１７記載の発明は、３面の梯子体と、これら梯子体を三角柱状をなすように連結する手段と、３面の梯子体を設置基盤側に固定する手段と、３面の梯子体の内部に設けられた避難ステージとを有する。
請求項１８記載の発明は、１本の梯子体と、設置基盤に固定可能でかつ梯子体の基部を立ち上がり状に固定可能な架台と、梯子体の立ち上がる上部に設けられる避難ステージとを備えた。
請求項１９記載の発明は、１本の梯子体と、同梯子体の基部側に回転可能に連結された一対の座梯子体と、前記１本の梯子体に設けられた避難ステージとを備え、座梯子体の一対を梯子体から開き設置基盤側に固定することで梯子体を立設固定可能に構成した。
請求項２０記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記支柱は、津波の襲来する方向に対し前後に一対でなり、これら支柱の外周を介して階段である昇降手段と踊り場が設けられこれら階段と踊り場との外周には、外部と区画する縦桟が配備されていることを特徴とする。
請求項２１記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記昇降手段である階段は、上階にゆくに従って緩い傾斜角をなすように設定されていることを特徴とする。
請求項２２記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、前記昇降手段である階段は、その踏み板間が少なくとも津波襲来時において該津波の流れを通過させ得るように構成されていることを特徴とする。
請求項２３記載の発明は、設置基盤から立ち上がるようにして固定して立設される支柱と、支柱の高い位置に設けられた避難ステージと、地上からの避難者を避難ステージに導くことのできる昇降手段とを備える津波・洪水等の非常事態からの避難装置であって、昇降手段である階段に添ってカバーを付し、同カバーは、津波襲来時において破壊・回転などにより回避可能で津波の流れを通過させ得るようになっていることを特徴とする。
【発明の効果】
【０００５】  この発明の津波・洪水等の非常事態からの避難装置によれば、比較的安価に済み有効な避難場所として機能を発揮できる津波・洪水等の非常事態からの避難装置を提供することができる。
【発明を実施するための最良の形態】
【０００６】  以下、図示した各実施形態を参照してこの発明を詳細に説明するが、各実施形態において個々に説明される案は、当該案を含む実施形態以外の他の実施形態にも適用され得るものとする。
図１ないし図３はその一実施形態を示すもので、１は設置基盤で、海岸に臨む場所や市街地の空き地などに人工的に造られたコンクリートやアスファルト基盤、公園や広場などの地盤の他、海岸の砂浜や海岸から離れた海底地盤のこともある。上記設置対象に限定されないことはいうまでもない。【０００７】  この設置基盤１には、予め３ｍ□前後の平面形状で厚みのある平坦な受け盤２を備えた主固定手段（固定する手段の１つ）３が３ｍ前後で４本からなる埋込杭４…の埋設により埋め込み固定されている。主固定手段３は、補強鉄筋の入ったコンクリート製のものや金属製のものなどいずれでもよい。同手段３の底面から伸びた埋込杭４は、抜け止め突片５…を備えている。前記主固定手段３は、上面に４個の受け止め凸部６…を有し、これに避難タワー１０の下端フランジ１１が止着具にて連結固定されている。前記主固定手段３の各メンバーの材質や本数、形状は図示のものに限定されないことはいうまでもない。例えば、埋込杭４は、１本の太い縦パイプや縦向きの板や４面枠体などでもよい。一方、同埋込杭４は、構成しないこともある。【０００８】  避難タワー１０は、直径２００ｍｍ前後の丸パイプを基材とする４本の互いに離間しかつ平行な支柱１２…と、これら支柱１２…間を上下段においてつなぎ一体化する横連結材１３…とでなる４本支柱型の下段タワー本体１４・中段タワー本体１５・上段タワー本体１６の３つの構造体からなっており、これらは中継フランジ１７により上下に接合されたタワー構造になっている。そして、各面はブレース１８…の掛張により補強した構成になっている。尚、４本のうちの２本の支柱１２，１２は、図１の前方から襲来してくる津波に同時直面して対抗し得る配置関係に向きを設定される。また、図１の左右の支柱１２の中心間および図２の支柱１２の中心間の寸法は２ｍ前後離間し、地面から最上階の内避難ステージ２４までは９ｍ前後である。勿論この寸法に限定されない。【０００９】  こうした避難タワー１０の外周には、避難者が安全に登ることのできる手摺り２０付きの階段２１がタワー４面の各面に順次添った形で下段タワー本体１４から上段タワー本体１６まで至るように添設固定されている。最も上段の階段２１からは、上段タワー本体１６の外周を巡るようにして外縁避難ステージ２２が平坦で平面コの字状をした通路として設けられている。【００１０】  こうした避難タワー１０の横連結材１３…で囲まれた四角枠内には、上下複数段に亘るように中間内避難ステージ２４…が設けられている。これら内避難ステージ２４…は、それぞれ昇降手段である階段２１から入り込めるようになっている。その一方、例えば、最上階の上避難ステージ２４−Ａに避難する人にとっては、同避難ステージ２４−Ａの正面側（図１の手前側）が開放状とされて危険であることもあって、その安全確保のための手摺り２５を仮想線のように設け、他の階にも、４面全てに安全確保のための手摺り２５を設けるものとする。但し、階段２１からの侵入を阻害しないように張るものとする。手摺り２５は金属あるいは樹脂などのパイプやロッドの他にロープでもよいものとする。【００１１】  こうしてなる避難タワー１０は、設置基盤１のタワーから離れた��所に打ち込まれた（あるいは埋め込まれた）抜け止め突片２６付きアンカー２７…との間に張られた牽張ワイヤ２８…により四方から倒れないように自立補助されている。図１の仮想線のように補助ワイヤ２９…を追加してもよい。尚、ワイヤ２８，２９は必須ではない。【００１２】  また、避難タワー１０の頂部には、支柱１２に差し込まれた受けパイプ３２上を介して取付面枠３３を例えば前後１対配備し、各枠３３上を介してソーラーパネル３４を完備してもよい。このソーラーパネル３４は、非常時の利用だけでなく通常時にも利用できる。さらに、図１のように、避難タワー１０の正面やその他の面を介して広告板３５を付してもよい。【００１３】  尚、前記実施形態の他の態様として、避難タワー１０は、下部は図示のままとし、上部はより安全確保のため外周を取り囲むようにしてもよい。
また、前記中間内避難ステージ２４や外縁避難ステージ２２の底板部分はパンチングメタルやグレーチングなどを使用してもよいし、中間内避難ステージ２４は、その面の半分を避難可能な面板とし残りは開放状にしてもよい。
さらに、避難ステージ２２，２４には、非常時に必要とされる食料品や救急救助用品（救助ボート、救命胴衣、寝袋、非常ライト、ロープ、バール、酸素ボンベ、緊急連絡手段など）を一括的に常備して置くようにしてもよい。この常備場所は、中間内避難ステージ２４の上部空間を利用したものでもよい。
また、避難装置には、夜間の避難を安全確実にするための場所確認手段、例えば、常時発光手段（前記ソーラー利用の夜光ライトや蛍光発光手段など）とか、非常時にのみ警報音を発する手段などを装備しておいてもよい。
さらに、前記では階段方式であったが、簡易エレベー方式でもよく、階段と簡易エレベータとの組み合わせ方式でもよい。簡易エレベータとは別に、タワー上部にウインチ付き（ウインチ無しでもよい）滑車を介してロープを垂れ下げ、ロープ下端に救助バケットを備えて引き上げるようにしてもよい。また、前記避難ステージは、広さを拡張できるようにしてもよい。【００１４】  また、前記避難タワー１０は、複数本の丸パイプ状支柱１２によりなるものであったが、例えば、アングルや他の型材を利用したものにしたり、１本の太いパイプによるタワー構造にしてもよい。太パイプによる場合は、その外部あるいは内部を介して階段や簡易エレベータを装備してもよい。内部と外部に装備してもよい。
前記実施形態では、タワーが１本建ち式であったが、複数本をそれぞれ独立あるいは相互連結式に建ててもよい。この場合、タワー相互間に避難ステージを形成してもよい。
さらに、前記タワーは、近隣の建造物に通じる避難通路を接続したものあるいは接続できるものにしてもよい。
また、前記支柱は上下多段でそれぞれ順次差し込み式に連結するようにしてもよい。
以上説明したことは、以下の実施形態でも同様に適用できる。【００１５】  図４の実施形態は、設置基盤３０１から立ち上がるようにして固定して立設される支柱３００と、支柱３００の高い位置に設けられた避難ステージ３０３と、地上からの避難者を避難ステージ３０３に導くことのできる昇降手段３０２とを備える津波・洪水等の非常事態からの避難装置であって、前記避難ステージ３０３や支柱３００などの装置本体側の高い個所と設置基盤３０１との間に牽きワイヤ３１４を張るとともに、同牽きワイヤ３１４は、その外周に弾性質の波切り部材を配備していることを特徴とする。
単一本の支柱３００を設置基盤３０１に垂直に埋め込んで立設した津波からの避難タワーに関する。支柱３００は、丸や角などのパイプ製で、その外周にはラセン状をした階段（昇降手段）３０２が一体化されるとともに、上端には避難ステージ３０３が水平に固定されている。避難ステージ３０３には階段につながる通穴が形成されるとともに手摺り３０４が周囲に立設されている。階段３０２のまわりには縦向きのパイプでもよいが図示では津波を避けるためラセン面状の波避け側面材３０５が設けられている。３０６は、支柱上端に設けた天板である。【００１６】  尚、支柱３００の基部外周には補強パイプ３０８が巻設されるとともに、その外周には、設置基盤３０１内に埋設された受パイプ３０９内に備えた硬質ゴムなどの緩衝材３１０が設けられてその弾性により支持されている。緩衝材３１０は、津波に先立って発生する地震によりタワーが倒壊しないようにする。【００１７】  また、波避け側面材３０５の津波進行方向Ｘに面する側には仮想線のような緩衝パッド（中空ゴムや発泡樹脂材など）３１１を貼り付けてその防護を図ってもよいし、階段に添って落下防止のために垂直に多数本配備される手摺り子の各外周にスポンジのような緩衝手段を巻設して対処してもよい。【００１８】  さらに、避難ステージ３０３上である避難場所には、地震・津波の実情報（レーザー投光（反射あるいは非反射型）による津波到来を波高の変動に基づいて検知する情報も含む）を放送や光掲示手段などで周囲他に報知する手段や雨量や湿度などの一般気象情報を観測する、観測・報知部を設置することがある。【００１９】  また、図外左欄に示すように、手摺り子３１２をアングル形にしてその溝を津波が最初にくる方向Ｘに対しての半周はこれに対向するように、また残る打ち返しに対する後半周に対してはそれに対向する方向に溝が向くようにして配備する。こうすると、溝に津波が登り被害が小さくなる。特に、この手摺り子３１２をゴムや発泡材にすると基部より上端側が後へ反り返ることにより波が上方へと逃げ易くなる。【００２０】  さらに、ラセン階段３０２は、図では上下全長にわたるものにしてあるが、仮想線のように、上部の津波に影響を受けないところはラセン状にし、下部はＸ方向に対して後側から登れるような斜め直階段３１３にしてもよい。この場合、斜め直階段３１３を利用する避難者は津波の影響を受けることなく避難することができる。【００２１】  また、３１４は牽きワイヤで、同ワイヤ３１４の本アンカー３１５に対し別途補助アンカー３１６を打設しかつ両者を連結具３１７によりまとめることで抜け難くしてある。こうした考え方に基づき、支柱３００にも斜めの補助支柱を組み合わせてもよい。ワイヤ３１４周りには仮想線のように球形をした波切り部材３１８を配列してもよく、この場合、同部材３１８は、弾性質のものが好ましい。【００２２】  さらに、同図に仮想線で示すように、タワー前方位置には、津波が直接かつ強力に支柱などのタワー構造部材にぶつからないように波切り部材（予備緩衝手段）３１９を設置してもよい。この部材３１９は、上からみるとＶあるいはＵ形でその凸側が前向きになって津波を切るようにしかつ上向きに次第に細くなって津���を切り開きながら上へと誘導するようなものになっている。
この部材３１９は、金属でもよいが弾性質のものが好ましい。金属でも前面に緩衝材を付したものでもよい。尚、同部材３１９の後面部は凹状にして待機空間をもたせてもよい。また、こうした部材３１９を横並びに複数離間して配置したり、上からみて千鳥配置にしてもよい。また、階段３０２の全体（下半部のみでもよい）は、パンチングメタル様のもので円筒状に形成したガードを付すことがある。さらに、波除け側面材３０５の外周に一定の空隙を存して前記ガードを添設することができ、空隙から側面材３０５表面を水が突き抜ける。【００２３】  図５の実施形態は、支柱３２１の対震緩衝構造に係り、同支柱３２１の下側には、ゴムパッド３２２を介して基礎支柱３２３が埋設され、この支柱３２３の上座板３２４から複数本のボルト３２５を突設し、これらボルト３２５をゴムパッド３２２および支柱３２１の孔に通してバネ３２６を介してナット３２７で緩衝作用があるように連結固定してある。各支柱３２１，３２３には適宜補強リブが付されている。【００２４】  図６およびそのＬ−Ｌ線断面図である図７に示す実施形態は、リブ付き支柱３２９をそのフランジ３３０下においてゴムパッド３３１で支持するとともに、フランジ３３０を、１対の押さえ板３３２により弾性固定したもので、弾性固定のため、フランジ３３０と押さえ板３３２との間にゴム板３３３を介装するとともに押さえ板３３２の両端孔を地盤内に埋め込まれたボルト３３４を通し、さらにバネ３３５を介してナット３３６により上から締め込むことで構成されている。【００２５】  図８および図９に示す実施形態は、２本支柱タイプの避難タワーに関するもので、図の左方向から津波が押し寄せることを前提とし、支柱３３８は、津波の流れる方向に前後をなすように配置されて地盤に埋設固定により立設されている。支柱３３８は、１本パイプで上まで伸びても良いが、この例では、地震や津波作用時の防護のため、上下別体で接続式とし、その間に緩衝材３３９を介装して構成してある。この緩衝手段は、図８に仮想線で示すように更に上部でもよい。【００２６】  タワーの上端には、手摺り付きの避難ステージ３４０が構成され、その上には天板３４１が設けられている。３４２は下部斜め階段、３４３は中間斜め階段、３４４は上部斜め階段で昇降手段であり、下部斜め階段３４２は、津波がくる方向にその底板３４５が向くようにして設置されている。尚、下部斜め階段３４２は、設置基盤にアンカー３４６により固定されるとともに２本の支柱３３８にも連結されて一体化されている。この下部斜め階段３４２は、図９において支柱３３８を挟む対称配置に２列配置してもよい。支柱３３８には牽きワイヤを付してもよい。下部斜め階段３４２から中間斜め階段３４３の上方に添って津波避けのカバーを配してもよい。【００２７】  尚、タワーへの直接の直接の影響をなくすため、半円筒を上からみてＶ字形に組み合わせた波避け部材（予備緩衝手段）３４８をその溝を前向きにして上下複数段にして配備し、これらを地盤に固定してもよいが、ここでは支柱３３８にステー３４９を介して受固定してある。ステー３４９はゴムなどの弾性部材でもよいし、支柱３３８周りのリング３５０と支柱３３８との間に弾性部��を介装してもよい。津波は、図８の矢印のように到来してくるが、これら波避け部材３４８の前面溝に添って切り開かれるように作用する。尚、図８に示すように天板３４１には、手動操作にも切り換え可能な電動ウインチ３５２が設置されるとともに設置基盤から避難ステージ３４０を貫通するように設けた垂直なガイドレール３５３に添って昇降するように簡易ゴンドラ３５４が設けられてウインチ３５２のドラムに巻かれたワイヤーロープ３５５によりゴンドラ３５４を昇降させ得るように構成されている。これで下方からの避難者が、避難ステージのベースに開口した穴を通じて登ることができる。この昇降装置は、階段装置とともにあるいは単独で設けられる。また、ガイドレール３５３は、別の仮想線で示すように支柱３３８に添って設けてもよい。【００２８】  図１０（平面図）の実施形態は、タワー前およびその他の個所に、後ろ倒れ姿勢の受支柱３８３を立設し、その前面に斜め縦向きに添ったゴムなど弾性質の膨出形波避け材３８４を装着してタワーあるいは避難者に津波が直接当らないように配慮したものである。波避け材３８４は、その両脇のフランジ３８５に止着具をもって受支柱３８３に脱着自在に装着してある。尚、同波避け材３８４は、中空形としたり、さらに前面に誘引口３８６を開けて上方へ水を抜くようにすることができる。【００２９】  図１１の実施形態は、４本支柱（１本、２本、あるいは３本その他の支柱タイプでも同様である）タイプの避難タワーについてのもので、同支柱３８９は、埋め込みなどで立設され、その高い位置には連結材３９０と避難ステージ３９１および手摺り３９２により避難中継ステージ３９３が構成され、その上方には階段（昇降手段）３９４により登れるように避難ステージ３９５が構成されている。そして、避難中継ステージ３９５の外縁４辺からは、避難者が抜け落ちないような大きさの目をもった格子状のワイヤーロープ（樹脂ロープやリンクチェーンで編製したものでもよい）でなる防護梯子３９６が斜め下がりに設けられて本アンカー３９７により下端が設置基盤に固定されている。本アンカー３９７は補助アンカー３９８やその連結具３９９により補強固定できる。防護梯子３９６は、避難者がこれに手足を掛けて次々に登ることができるほか、それ自体は津波を切り開いて力を弱める機能をもつ。尚、防護梯子３９６は、内側に離間して追加的に補助梯子４００を配してもよく、津波が押し寄せる側については複数枚の梯子を配してもよい。また、タワー内にも内梯子４０１を配してもよい。さらに、梯子３９６は、その上端などにバネやゴムなどの弾性材４０２を介してタワーに連結すると地震や津波のときにタワーを安全に防護する。前記階段３９４も梯子式にしてもよい。その一方で、タワー内に地盤から登れる階段を配してもよい。尚、梯子には、仮に避難者が落ちるようなことがあった場合にそれを喰い止める突片（休憩所）を配したり、身体に巻き回して津波に流されないようにする補助引っ掛け紐を備えておいてもよい。【００３０】  図１２の実施形態は、支柱４９２を１本あるいは２本とし、その上端に避難ステージを構成したもので、特に、避難場所に上がるための階段４９３を連結材４９４により支柱４９２に結��一体化したものである。尚、階段４９３は左右１対でもよい。【００３１】  また、右欄に示すように、支柱４９２の後側にガイドレール４９５を付し、これにローラーで昇降自在にしたゴンドラ４９６を避難ステージから電動や手動で昇降自在に構成することができる。この場合、ゴンドラ４９６は、支柱４９２で護られるが、より防護されるように拡がり板４９７を装備してもよい。【００３２】  図１３の実施形態は、支柱５３３をやや太い丸パイプでなる１本ものとし、同支柱５３３を複数の埋め込みパイプ５３４で固定立設するとともに、倒れないようにワイヤーロープ５３５で引っ張るようにしたもので、さらに、支柱５３３の上端に避難ステージ５３６を装備して同避難ステージ５３６へ登る手段として支柱５３３内を利用したエレベータ本体５３７を装備したものである。エレベータ本体５３７は、単一個であったり図示のように２個であったりする。避難ステージ５３６上には風力発電装置５３８を設置し、その設置数は、避難ステージ５３６を大きくすることで複数基とすることができる。なお、支柱５３３を図右欄の四角にしたりＶあるいはアングル形としてもよい。【００３３】  図１４の実施形態は、図１３の支柱５３３の内部にエレベータ本体５３７を内装した様子を横断面で示すもので、その背部には、仮想線および右図欄のように、背支持部５３９を一体装備してもよい。この背支持部５３９内にエレベータや階段などの昇降手段を内装して構成して、津波の当らない背面下端の出入り口から出入りするようにしてもよい。【００３４】  尚、テレビ塔や無線塔を津波タワーを兼用するものにしたり、煙突や灯台などを津波タワーとして兼用するようにしてもよい。この場合、風力発電装置を併設する場合とそうでない場合とがある。【００３５】  図１５の実施形態は、一戸建て住宅の庭内とか近くの公園とかに簡易型として設置可能な１本支柱タイプの避難タワー（タスカルタワーあるいは安心タワーなどの商品名とする）で、８００は支柱で、円筒状あるいは角筒状などに形成され、同支柱８００の相反する外周位置にはステップ８０１…が千鳥配置で設けられるとともに、その下部に緩衝手段８０２を介して地盤に立設固定されている。【００３６】  支柱８００の上部には、避難ステージ８０３が手摺りつきのものとして設けられ、同避難ステージ８０３の底面の開口が登り口８０４となっている。８０５は天頂カバーである。
尚、避難ステージ８０３の底部には、収納部８０７が設けられ、同収納部８０７は、避難路面板を開けることで内部の収納物、例えば、非常用の食料品や用具、通信器具などを取り出すことができる。勿論、手摺りの内周あるいは外周にこうした収納部を設けたり、収納部自体を手摺り代わりにすることもできる。また、仮想線のように、避難ステージを一方向へ偏心配置してステップ８０１の上端のものから登り込みやすくしてもよい。さらに、避難ステージは、支柱８００を基準として左右あるいは前後に一対配してもよく、その一対間から登るようにしてもよい。
また、支柱８００回りにブラケット８０８を突設してその上面をステップ８０１とするとともに両ブラケット８０８を介してアンカー支柱８０９に下端を固定された斜め支持材８１０を連結固定するようにしてもよい。ブラケット８０８やアンカー支柱８０９、それに斜め支持材８１０などはアングル材や角パイプなどで連結するようにすれば強度が上がる。８１１は牽きワイヤーで、支柱８００の津波の到来する側に引っ張られ、例えば、主アンカー８１２と補助アンカー８１３との組み合わせにより強固に固定されている。そのワイヤー８１１のうちの１つは、例えば、ステップ８０１から突設したステー８１４と連結してもよい。
避難ステージ８０３は上下数段階に設けてもよい。
さらに、図１５の右欄図に示すように、支柱８００のステップ８０１は上下に伸びる補助支柱８１５により連結してもよい。この補助支柱８１５はその下端を埋め込んだり地盤上に固定してもよく、支柱８００の補強をすることができるとともにステップ８０１から足が外れないようにする。補助支柱８１５回りに緩衝手段を巻き付けてもよい。また、支柱８００回りにも緩衝手段を巻き付けてもよい。【００３７】  図１６および図１７は、同じく簡易避難タワーで、津波の到来する方向を基準にして前後２本あるいは左右２本のように一対の支柱８１８を有しその間にステップ８１９を連結してなるもので、下部のステップ８１９を埋め込んで抜け難くして立設固定されているが、これに限定されない。上部の避難ステージ８２０の下部には、収納部８２１が形成され、その上蓋８２２を開けることで収納物を取り出すことができる。８２３は登り口で、落下防止手摺り８２４を開くことで登ることができる。８２５は緩衝手段、８２６は天頂カバーで、支柱８１８の上端から突設したステー８２７と下端のアンカー８２８間には牽きワイヤー８２９が設けられているとともに、支柱８１８下部から突設された斜め支持材８３０の下端板８３１をアンカー８３２で固定するとともにアンカー８３２と支柱８１８間には牽きワイヤー８３３が設けられている。前記収納部８２１は仮想線のように避難ステージ８２０の外周に備えてもよい。また、天頂カバー８２６それ自体が収納部であってもよい。【００３８】  尚、図１７の右欄図の例は、支柱８３５を３本にした避難タワーを津波の到来する前方かつ上方からみたものである。この装置は梯子の一対をＶ形に一体化したようなもので、その前面には仮想線のように半丸筒状でその凸側を前面側にした津波除け部材８３６をステップ８３７に掛かる足の邪魔にならないように設けてもよい。この津波除け部材８３６は上からみるとＶ字形をなし、津波が逃げ易い基本形をしたもので、前面に緩衝部材を付したりそれ自体が緩衝部材であってもよい。また、後面側にもステップ８３７を付してもよく、この場合、前面側の津波除け材により津波を切り分けるので、後側ステップ８３７を利用して安全に登り避難することができる。こうした避難装置の内部空間を利用して階段を設けたり簡易エレベータを装備できる。支柱８３５は４本以上でもよい。また、梯子のような支柱を単位としその複数を互いに連結して１つの避難装置を構成してもよい。【００３９】  図１８および図１９は、老人ホームや町内の集会所などの建造物９１２を津波にも安全な高所に配置してより安全な対策を備えたものにしたものである。建造物９１２は、底フレーム９１３を備えた強度のあるもので、同フレーム９１３の前後には底板９１４が付されているとともに、前後に立設された支柱９１５の下部を免震構造ユニット９１６および緩衝手段９１７により支持し、これら支柱９１５の上端の免震構造ユニット９１６を前記底板９１４に連結固定してなるものである。階段９１８にも適所に緩衝手段９１９を備えるものとする。【００４０】  尚、前記階段方式以外にあるいは階段方式とともに、支柱９１５内にエレベータ９２０を装備してもよい。この場合、建造物９１２まで一気に登るタイプのほ���に仮想線のようにエレベータ９２０により中間高さまで登りあとの安全高さからは階段９２１を利用して登ることができるようにしてもよい。また、支柱９１５には、右図のメッシュのようにロープで作製した網状梯子９２２を地上との間に牽き、これが支柱９１５の補強になるとともに避難時の登り手段としても機能するようにしてもよい。この場合、梯子９２２から前記階段９２１に乗り移れるようにしてもよい。さらに、９２３は防護ポール、９２４は緩衝手段で、支柱９１５の回りにも緩衝手段９２５を備えてもよい。また、支柱９１５は３本あるいは４本などが可能であるし、同避難可能装置は海上設置も可能である。さらに、図１９の右欄図のように、前支柱９１５と後支柱９１５間を側板９２６で連結して内部安全空間９２７を形成するようにしその空間内に階段やエレベータなどの登り手段を構成してもよい。後の支柱９１５′を前のものより大径のものにして側板９２６で連結することで津波が到来しても拡散するようにすることもできる。支柱９１５，９１５′は、四角パイプや溝形材など各種のものを利用することができることは勿論である。【００４１】  図２０は、支柱９３０の回りにゴムや樹脂、金属などの外パイプ（あるいはチューブ）９３１…を配し、これを締め具９３２でまとめて緩衝手段としたものを示す。右欄図のように丸パイプ以外に楕円や長円形状など他の幾何学形状のものにしてもよい。【００４２】  図２１は、太い本支柱９３４とやや細目の前支柱９３５の組み合わせで構成し、これらの一方あるいは双方を固定して津波を拡がるように流すようにしたものである。この場合、本支柱９３４内には上昇時のチェーン９３６が通るようにし下降時のチェーン９３７が通るようにして両支柱９３４，９３５間に配したスプロケット９３８により座部９３９が上下に循環運動するようにしてもよい。避難する者は矢印Ｒのように本支柱９３４の下部開口を通じて座部９３９に乗るようにする。尚、右欄図のように、本支柱９３４から前支柱９３５を離間させてもよい。前支柱９３５は複数本にしてもよい。【００４３】  図２２の実施形態は、山裾や海岸線、河岸、一般家庭の庭や公園、校内、通学路などあらゆる場所に設置可能な簡易避難装置に関するもので、図示した例は基本原理を示すもので、その規模や方向性などの細部の構成は如何にも変更可能なものである。【００４４】  図において１０９３は左右一対でなる埋め込み式の支柱で、千鳥ステップ１０９４や梯子階段などを有し、この支柱１０９３の上端間には上張りワイヤ１０９５が牽かれるとともに、同支柱１０９３のそれぞれは、前後の安定ワイヤ１０９６がアンカー１０９７により牽き固定されている。支柱１０９３のそれぞれには、前後に伸びたワイヤステー１０９８が設けられており、これら左右の間には、前後に一対をなすように上連結ワイヤ（パイプでもよい）１０９９が張設されている。【００４５】  ワイヤステー１０９８と上連結ワイヤ１０９９とは平面矩形枠を形成するとともに、その外周には外手摺り１１００が安全のために張られている。１１０１は補助吊りワイヤで、前記平面矩形枠を吊り持っている。前記平面矩形枠の面内にはネット式避難ステージ１１０２が張設されており、この避難ステージ１１０２内の適所には、通口１１０３…とその回りの内手摺り１１０４が設けられている。【００４６】  尚、１１０５は下張りワイヤで、支柱１０９３の下端同士を結ぶものである。こうして上張りワイヤ１０９５と下張りワイヤ１１０５との上下間には、それぞれに通口１１０３を通るようにして左右に複数条平行なラック（ワイヤなどでもよい）よりなる昇降ガイド１１０６…が安定に配備されている。各ガイド１１０６には、共にペダル踏み回し式の安全キャビン型の昇降機１１０７（左端）、簡易型の昇降機１１０８（４台のうちの中２台）、それに立姿勢でハンドル手回し式の昇降機１１０９などが緩徐な速度で上昇可能に設けられている。【００４７】  これらの昇降機１１０７…は、各通口１１０３内まで達するとロックされ、その時点で内手摺り１１０４の扉を開いて避難ネット１１０２上に避難することができ、そののち、前記ロックが外されることで各昇降機１１０７…は緩降する。津波が治まったあとは、前記千鳥ステップ１０９４を利用して降りてもよく、また、緩衝機１１０７…やネットに装備の図示しない梯子とか滑落シュートなどを使って降りてもよい。【００４８】  尚、前記実施形態では避難する人が避難ステージ１１０２上に次々に避難できるように構成したが、避難ステージ１１０２無しにして昇降機１１０７…が上方で待機ロックできるように簡易型装置にすることもできる。また、家庭用として有効なように、支柱を１本立設し、この支柱をガイドにしてあるいは支柱に平行なガイドに添って簡易昇降機が昇降できるようにしてもよい。【００４９】  図２３および図２４は他の実施形態を示し、梯子体１２３０を２本組み合わせてその上部に避難ステージ１２３１を設置したもので、特に、津波のエネルギーを直接受ける場所でなく、やや緩徐な流れによる増水で水位上昇が生じる場所、例えば、海岸線から少し陸上に入った公園とか広場、各戸の庭などを設置対象とするものであるが、海岸線などに設置することもできる。【００５０】  この避難装置は、「簡易型津波避難塔組立セット」としても販売提供でき得るもので、同セットは、中央に主柱１２３２を備える。同主柱１２３２は、丸あるいは角パイプからなり、下部が太く上部が細くなって上下を連結するものになっているとともに下部のものには止め着けあるいは一体溶接により脚板１２３３と水平な基板１２３４とでなる脚台が取り付けられている。主柱１２３２は、基板１２３４の孔を通じて地盤に打ち込まれたアンカー１２３５により垂直に固定される。【００５１】  この主柱１２３２の上端には、天板１２３６が取り付けられていて、その上側に図２３のような略四角形（あるいは丸型など）をした避難ステージ１２３８が止め付けられているとともに、この避難ステージ１２３８には、前記梯子体１２３０の一対がその上端で軸１２３７により連結されている。これら梯子体１２３０は、左右に少し開いたハの字状にセットされるもので、それ自体はアルミ製などの金属であるほか木質や樹脂製であってもよい（このことは他の実施形態でも同様に適用することがある）。尚、ステージ１２３８の底面には補強リブ１２３９が固定されている。【００５２】  梯子体１２３０は、手摺１２４０を左右に有���るほか、その下端に備えた角度調節可能な座板１２４１を介してアンカー１２３５…により地盤に固定される。尚、梯子体１２３０は２連、３連などの伸縮型でもよい（このことは他の実施形態でも同様に適用することがある）。【００５３】  前記避難ステージ１２３８上には、パイプ製の縦枠材１２４２…と上周材１２４３…とで事後的に組み立てられる避難ステージ１２３１が形成されてその外周あるいは内周にぐるりに沿って仮想線のような囲い材１２４３が取り付けられいている。囲い材１２４３は、樹脂シートや薄木板、薄樹脂板などの軽量なものが適切であるがこれに限定されずアルミ板などの金属でもよい。【００５４】  上記セットは、例えば、次のように組み立てられる。避難ステージ１２３８に一対の梯子体１２３０と上部の主柱１２３２を連結したものを開いた状態の梯子体１２３０を次第に立ち上がるようにしてのちアンカー１２３５により梯子体１２３０を固定する。そののち、主柱１２３２の下部のものを連結しアンカー１２３５により固定する。こうして脚組が出来上がると、梯子体１２３０を利用して縦枠材１２４２…や上周材１２４３、囲い材１２４４などを組み付けておくことで全体が完成する。尚、主柱１２３２は省略することがある。前記避難部１２３１は、梯子体１２３０を立ち上げる前に組み立てておくこともできる。前記ベース１２３８の高さは５乃至６ｍ前後とされるが、それより低く４ｍ前後のこともある。【００５５】  前記避難ステージ１２３８には、図２４のように避難する者が避難部１２３１内に登るための通口１２４５が一対設けられている。尚、基板１２３４は、図２３に示すように、図の上下方向に長く伸びて装置の安定性を高めている。【００５６】  前記実施形態の他、主柱１２３２と１本の梯子体１２３０とで構成することもできる。前記梯子体１２３０相互を連結することもできる。【００５７】  図２５は他の実施形態を示す。１２４７は脚立型の梯子体で、同梯子体１２４７は、上端に天枠１２４８が設けられるとともに下端の座板１２４９はアンカー１２５０でそれぞれ固定される。そして、仮想線のようにブレース１２５１でより安全に引張固定されることもある。【００５８】  こうした梯子体１２４７の上には、実線で示す避難部１２５２が簡易クレーンなどにより載せ付け設置され、梯子体１２４７との間の止め着けでマウントされる。尚、この避難部１２５２は、軽量に仕上げた場合には梯子体１２４７を利用して持ち上げることもあるし、この場合、上部にローラーを設けておいてロープを引っ張ることで持ち上げることもできる。ウインチを使ってもよい。梯子体１２４７の側枠をガイドレールとして軽快に底ローラーにより持ち上げることもできる。【００５９】  尚、仮想線のように避難部１２５２と梯子体１２４７とは連結材１２５３で連結支持する。また、仮想線のように梯子体１２４７の幅間に別途手摺１２５４を備えてもよい。さらに、同実施形態では梯子体１２４７が脚立式であったが、仮想線のように更に一対の梯子体１２４７を組み合わせてもよく、この場合、側枠相互を連結することもできる。【００６０】  避難部１２５２は、極く軽量なトラス組になっている。登り口１２５５を有する避難ステージ１２５６とその外周から立ち上がる手摺枠１２５７および周囲い１２５８、それに上張り材１２５９よりなる。【００６１】  図２６は他の実施形態を示し、梯子体１２６２の上端の部分に広いスペースの避難ステージ１２６３を設けて天枠を兼ねたものにしたものである。この避難ステージ１２６３は登り口１２６４を備えたもので、梯子体１２６２とともに立ち上がり、あとは、手摺材１２６５…などを組み立てることで完成する。同図の右欄のものは、梯子体１２６２の全幅にステップを設けるのでなく、幅中央にのみステップ１２６６を配して手摺１２６７を付したものである。【００６２】  図２７は他の実施形態を示し、同津波避難装置（他の実施形態でも同様に洪水対策装置としても利用可能）は、梯子体１２６８を３面組み合わせたものである。これらの梯子体１２６８は、アンカー１２６９により地盤に固定された座板１２７０により下端が固定されて上からみて三角形をなすように開閉自在なヒンジ型連結具１２７１…により相互連結される。そして、梯子体１２６８の下部には、出入り口１２７２が形成されるとともに、内側に添って登ることができ、登ったあとは、登り口１２７３を通じて上部の避難ステージ１２７４上に避難することができる。避難ステージ１２７４は、下が見え難い膜シート付きのワイヤメッシュなどで形成できる。尚、外部から登ることもできる。【００６３】  図２８は他の実施形態を示す。同実施形態は、３面の梯子体１２７７…に避難部１２７８を備えたものであるが、特に、その外部にもアンカー１２７９で固定した補助梯子体１２８０を斜めに立て掛けて連結したものである。この実施形態では、梯子体１２７７内を利用して登ることもでき、補助梯子体１２８０を利用しても登ることができる。なお、避難部１２７８は、立設したあとの梯子体１２７７を利用してその上端外周に三角形などの補助パイプ１２８１…を組み立てたあと、ベースや囲いなどを追加することで全体を簡易に仕上げることができる。【００６４】  図２９および図３０は他の実施形態を示す。同じく３本の梯子体１２８４…を使用したものであるが、この場合は、裾広がり状に設置したものである。これら梯子体１２８４は、連結孔を有する天板１２８５で相互連結されるとともに下端は座板１２８６にアンカー１２８７を打ち込むことで固定されるようになっている。相互をブレース１２８８で連結してもよい。避難部１２８９は、図２９のような１／３割形のベース板１２９０…の複数枚を天板１２８５上に固定したり相互連結してしっかりした避難ステージ１２９１として形成し、それに手摺１２９２や囲いなどを付して構成され、これらの作業は立設した梯子体１２８４を利用してなされる。尚、ブレース１２８８は、図２９に示す打ち込みアンカー１２９３で更に固定化することができる。ブレース１２８８は、梯子体１２８４…の立ち上げ時に引張に使用してもよい。【００６５】  図３１は他の実施形態を示す。この装置は、梯子体１２９６が１本でなり、その下部は架台１２９７で固定される。架台１２９７は、右拡大図のように、やや広目でアンカー１２９８で固定される座板１２９９と、同座板１２９９上に一体化した前後一対の角パイプ状の挿通受筒１３００、および同受筒１３０��間の補強を兼ねるステップ１３０１とでなる。【００６６】  そして、この架台１２９７の挿通受筒１３００に梯子体１２９６を差し込み止着具で固定する。梯子体１２９６の上部外周には、例えば、樹脂で軽量なカナパイプ（商品名）を塗装するなどして形成した囲い１３０２を装着して登る際の恐怖感をなくすようにしてある。梯子体１２９６の上端はステップのない左右枠材の登り口部分とし、その外周に避難部１３０３を同じく太径サイズのパイプを使用して形成してある。これら囲い１３０２、避難部１３０３などは後付けしてもよい。【００６７】  図３２は他の実施形態を示す。同実施形態も１本タイプの梯子体１３０５でなり、この梯子体１３０５の下端には、左右にブラケット１３０６が設けられて水平な一対の座梯子体１３０７の一対が連結固定されるようになっている。座梯子体１３０７の固定は、仮想線で示す張り出し板１３０８やウエイト１３０９…を入れるケース１３１０などによりなされる。尚、１３１１は固定軸、１３１２は止着具である。【００６８】  図３３は他の実施形態を示す。同実施形態は、１本タイプの梯子体１３１４を架台１３１５に回転自在に支持しておき、それに浮力体１３１６…を適数個備えて浮き上がりやすくしておくとともに、梯子体１３１４の先端には、地上から乗り込むことのできる避難部１３１７をぶら下げておいて固定式や垂下式のウエイト１３１８を備えてバランス良く浮上するようにしておく。したがって、津波や洪水により水面が上昇してくると、梯子体１３１４には浮力体１３１６で浮上するだけでなく避難部１３１７それ自体も浮上してゆく。仮想線は浮上した様子である。【００６９】  尚、仮想線のように梯子体１３１４を平行リンクとなるように配して避難部１３１７が常に同じ姿勢で浮上するようにしてもよい。また、別の仮想線のように梯子体１３１４は折り畳み式で上方へ転回して浮上するようにしてもよい。【００７０】  図３４は他の実施形態を示す。同実施形態は、梯子体や１本のバーによるガイドレール１３２１を架台１３２２で垂直あるいは右欄のように傾斜させて立設し、このガイドレール１３２１に添って避難部（避難ステージ）１３２３をローラー１３２４をガイドにして軽快に浮上するようにしてある。ガイドレール１３２１は、前記のように２本あるいは３本の梯子体で構成することもできる。尚、右欄に示すように、ガイドレール１３２１は低く半分程度にし、それにローラー１３２５により伸長し得る上昇梯子体１３２６を２連結梯子のように組み合わせ、梯子体１３２６に避難部１３２３を装備して浮上するようにしてもよい。これを傾斜式にもすることができる。【００７１】  図３５および図３６は他の実施形態を示すもので、津波（あるいは洪水）発生時の避難装置（避難タワー）についてのもので、１３２９は基盤で、同基盤１３２９からは四角断面で太径の支柱１３３０が津波到来想定方向Ｘを基準にして前後に一対平行に離間して立設してある。【００７２】  後側の支柱１３３０は、地上から８乃至１２ｍ前後の高さの前側の支柱１３３０よりも更に２ｍ弱高くなっている。これは後側の支柱１３３０の上端を介して天蓋１３３６を取着するためである。前後の支柱１３３０を同じく高くして天蓋１３３６をより安定に取り付けるようにしてもよい。【００７３】  前後の支柱１３３０は２乃至３ｍ前後離間させるが、それ以上、例えば、５乃至７ｍ前後離間させて安定化を図るようにすることもある。また、支柱１３３０は、前後一対のみでなく、３〜５本組にすることがある。さらに、支柱１３３０間は、水平あるいは斜めの継ぎ材で連結補強することもある。【００７４】  これらの支柱１３３０は、破線のように地盤内に深く埋め込み固定することもあり、また、図示では１本通しであるが上下分割のものを連結合体式にしてもよい。両支柱１３３０の一側には、手摺１３３１付きの階段１３３２が固定されるとともに、同階段１３３２を登ったところには、次の他側の階段１３３２が続くのではなく一時的に休息を与えるための水平な踊り場１３３３が半円状に形成されている。そして、前記他側の階段１３３２を登ったところにも踊り場１３３３が形成されている。こうした階段・踊り場の組み合わせ構造を数回繰り返して最も上段の階段１３３２が最上階の避難ステージ１３３４の開口１３３５まで臨むようになっている。【００７５】  階段１３３２は、１・２階までは４５度の登り角であるが、３階以上はそれより緩く登りやすい３０度に設定してある。この方式は、登るに従って息切れすることも想定されることに対処して登り易くしたもので、こうした登り易くしたもの、例えば、１階が４５度、２階が４０度、３階が３０度というように昇階するに連れて次第に登り角が緩くなるものも含むものである。【００７６】  階段１３３２および踊り場１３３３は、両支柱１３３０に結合されて支柱１３３０の補強メンバーとなっている。また、支柱１３３０は、図示では一般的な簡易タイプとなっているが、側桁や踏み板などの構成メンバーを剛強な構造にして補強効果を高めるようにしてもよい。手摺１３３１についても同様のことがいえる。【００７７】  １３３７は縦桟であり、同縦桟１３３７は、図３６に示すように階段１３３２・踊り場１３３３・基盤１３２９・避難ステージ１３３４の外周に添って長円形をなすようにして互いに離間して配列されている。これら縦桟１３３７は、この実施形態では、丸パイプ製の長いものであるが、角パイプ、フラットバー、アングル材などを使用することができる。また、縦桟１３３７は、主に安全を図るためであるが、登る人が下を見て恐怖感を持たないように互いの間隔を充分に狭めておくことが重要である。そのためには、縦桟１３３７の内面や外面に添って目隠しを張り付けることもある。【００７８】  尚、１３３８は後部の開閉式扉で、出入り口１３３９をつくる。また、１３４０はプリガード（予備緩衝手段）で、津波と共に到来することが想定される小型船舶や材木などの浮遊物が装置に直接当らないように前段階で対処するための抵抗手段である。ここでは、同ガード１３４０は、丸パイプで複数本が上からみて円弧状にして配列してあるが、例えば、角を前に向けた角パイプであったり、その外周に緩衝手段を取り付けたものであってもよい。また、ガード１３４０の前側には、材木などの浮遊物を積極的に破壊する手段、例えば、フラットバー、アングル、歯付き部材などを突設してもよい。さらに、図３６に示すように、支柱１３３０間には、前後間空間Ｓが形成されているが、この空間Ｓ（あるいは支柱１３３０の内部空間）に簡易エレベータを備えたり、階段１３３２を登る途中の人が緊急に避難する部屋を設けてもよい。また、踊り場１３３３の特に前側は、前向きに突出する山形状に形成してもよい。
さらに、図３６の下側左欄に示すように、支柱１３３０の津波到来想定側（前側）に前向きに突出する例えば、三角断面の制御材１３９０を付設してもよい。この制御材１３９０は、発泡樹脂やゴムなどの弾性質として支柱１３３０の脚部付近に縦設すれば漂流物の衝突から支柱１３３０を防護するだけでなく、制御材１３９０が後向きに拡がる形状になっていると、津波Ｘが支柱１３３０の前面に激しく当ることがなく矢印のように左右に拡開するように制御する。制御材１３９０は、半丸状にしたり、仮想線のように古タイヤ１３９１…を積層したものでもよく、津波の制御のみを目的とする場合には、弾性質以外のものにすることもある。
また、図３６の下側左右間の欄に記載のものは、支柱１３３０をＨやＩ形鋼としその溝を前後に向けるとともに、その前面の溝内に、津波の流れを斜め上向きの流れとし溝底（ウエッブ）前面に添って昇流に制御する制御プレート１３９２…を上下多層に配備してもよい。同プレート１３９２は、その斜め上端が溝底（ウエッブ）に対し上昇隙間１３９３を残して固定されている。上昇する津波流は、図示のように上方に斜め前向きとされた逆流制御プレート１３９４により矢印のように津波上方に放出して戻されるようにしてもよい。左右に分かれるようにプレートを装備してもよい。
さらに、下側の右欄に示すように、支柱１３３０の脚部両側から斜め下向きにサイドリガー１３９５を伸ばしてその下端の基盤１３９６を地盤に埋め込んだりアンカー固定してもよい。前側の支柱１３３０も同様に構成できる。【００７９】  図３７は他の実施形態を示し、装置の外周に縦桟を設けず、前後の支柱１３４３と階段１３４４および手摺１３４５、踊り場１３４６などを同様に構成したものであって、特に、階段１３４４に添って側面隠しカバー１３４７を張り付けるとともに、踊り場１３４６の回りにも周面隠しカバー１３４８を張り付けたものであり、これにより、安全で恐怖感なく避難することができる。【００８０】  尚、この実施形態において、低い階での階段１３４４は蹴込み板なしの踏み板１３５０のみとして津波が矢印Ｗのように通り抜けるようにしてもよい（このことは他の実施形態でも同様に適用することがある）。一方、３階のように高い階段１３４４においては蹴込み板１３５１を備えて恐怖感を感じないようにする。この場合、右図のように、蹴込み板１３５１をマグネットなどの脱着手段１３５２により津波でのみ外れるようにすれば津波が通り抜けやすく、装置の安定性をより確保することができる（このことは他の実施形態でも同様に適用することがある）。
また、支柱１３４３間には補強部材１３５３を仮想線のように渡してもよい。さらに、津波Ｘに対しては、周面隠しカバー１３４８を網状部材やパンチングメタルなどの多孔材にしておけば津波が通り抜けて装置の安定性が向上する。この場合、カバー１３４８が津波の到来により取り外れるようにしてもよい。【００８１】  図３８は他の実施形態を示す。同実施形態は、支柱１３５４・階段１３５５・踊り場１３５６などを同様に構成するもので、これらの外周を全て覆い隠して安全かつ安心に登ることができるように横断面長円形状の外装カバー１３５７を張り付けたものである。１３５８は扉である。
外装カバー１３５７の特に下部は、通水質のものにしたり津波で取り外れたり破壊されたりするようにしてもよい。同カバー１３５７は、例えば、幅が５０ｃｍの帯長状の樹脂薄膜を短冊状にぶら下げて上下に引っ張って周方向に配列し、津波が到来したときに同津波で振れ回るようにしてもよい。【００８２】  尚、図３７の構造を下部とし図３８のカバー付きの構造を上部として１つの装置を構成してもよい。この場合、下部は津波が通り抜けやすく上部の津波に当らない部分はカバーで恐怖感なく登れるという機能をもたせることができる。【００８３】  図３９の実施形態は、支柱１３６１に階段１３６２と踊り場１３６３を備えたもので、特に、前後に縦軸１３６４を備えるとともに、この軸１３６４回りに、津波Ｘの力でのみ外れて回転する周面隠しカバー１３６５を取り付けたものであり、津波がＸのように到来すると、仮想線のように回転して抵抗とならないようにしたものである。
尚、支柱１３６１は、仮想線で示すように、実線のものを４５度位相をずらせた斜め向きに立設してもよく、この場合、津波Ｘが到来しても左右に拡散して装置に負荷が大きく掛かることがない（このことは他の実施形態でも同様に適用することがある）。また、図３９に仮想線で示すように、踊り場１３６３の周面隠しカバー１３６５は、強風などではその凸面形状を保持して作用せず津波の際にのみ仮想線のように弾性凹み形状に変形自在なように構成すれば、矢印Ｘ−１のように凹み面に添って津波流が逃げ得るのであり、仮に、同カバー１３６５が壊れても津波流の抵抗体となることはない。カバー１３６５はパンチングプレートや網状材などの通水質材により形成することもできる。この構造は、図３８に示すように、踊り場の上下にも半円状の周カバーを備えるものに対しても適用することができる。
【図面の簡単な説明】
【００８４】
【図１】この発明の一実施形態を示す避難装置の正面図。
【図２】図１の右側面図。
【図３】図１のＩＩＩ−ＩＩＩ線断面図。
【図４】他の実施形態を示す正面図。
【図５】地震緩衝装置の他の例を示す正面図。
【図６】他の実施形態を示す地震緩衝装置の横断面図。
【図７】図６のＬ−Ｌ線断面図。
【図８】他の実施形態を示す避難タワーの左側面図。
【図９】図８のＭ−Ｍ線断面図。
【図１０】津波制御装置の他の実施形態を示す平面図。
【図１１】他の実施形態を示す避難タワーの正面図。
【図１２】他の実施形態を示す左側面図。
【図１３】１本支柱タイプの風力発電装置付き津波タワーの例を示す正面図。
【図１４】図１３の横断面図。
【図１５】他の実施形態を示す側面図。
【図１６】図１７のＱ−Ｑ線断面図。
【図１７】図１６の避難装置の側面図。
【図１８】他の実施形態を示す図５６のＧ−Ｇ線断面図。
【図１９】図１８の側面図。
【図２０】他の実施形態を示す横断面図。
【図２１】他の実施形態を示す横断面図。
【図２２】高所への避難装置を示す斜視図。
【図２３】他の実施形態を示す簡易津波避難塔の平面図。
【図２４】図２３の正面図。
【図２５】他の実施形態を示す避難塔の斜視図。
【図２６】他の実施形態を示す避難塔の斜視図。
【図２７】他の実施形態を示す避難塔の斜視図。
【図２８】他の実施形態を示す避難塔の斜視図。
【図２９】他の実施形態を示す避難塔の平面図。
【図３０】図２９の正面図。
【図３１】他の実施形態を示す避難塔の斜視図。
【図３２】他の実施形態を示す要部拡大斜視図。
【図３３】他の実施形態を示す側面図。
【図３４】他の実施形態を示す側面図。
【図３５】他の実施形態を示す津波タワーの右側面図。
【図３６】図３５のＨ−Ｈ線断面図。
【図３７】他の実施形態を示す津波タワーの右側面図。
【図３８】他の実施形態を示す津波タワーの右側面図。
【図３９】他の実施形態を示す横断面図。
【符号の説明】
【００８５】１…設置基盤  １０…避難タワー  １２…支柱  １３…横連結材  ２１…階段（登る手段）  ２４…中間避難ステージ  ２４−Ａ…上避難ステージ。
【図１】
2005264721.tif 000003
【図２】
2005264721.tif 000004
【図３】
2005264721.tif 000005
【図４】
2005264721.tif 000006
【図５】
2005264721.tif 000007
【図６】
2005264721.tif 000008
【図７】
2005264721.tif 000009
【図８】
2005264721.tif 000010
【図９】
2005264721.tif 000011
【図１０】
2005264721.tif 000012
【図１１】
2005264721.tif 000013
【図１２】
2005264721.tif 000014
【図１３】
2005264721.tif 000015
【図１４】
2005264721.tif 000016
【図１５】
2005264721.tif 000017
【図１６】
2005264721.tif 000018
【図１７】
2005264721.tif 000019
【図１８】
2005264721.tif 000020
【図１９】
2005264721.tif 000021
【図２０】
2005264721.tif 000022
【図２１】
2005264721.tif 000023
【図２２】
2005264721.tif 000024
【図２３】
2005264721.tif 000025
【図２４】
2005264721.tif 000026
【図２５】
2005264721.tif 000027
【図２６】
2005264721.tif 000028
【図２７】
2005264721.tif 000029
【図２８】
2005264721.tif 000030
【図２９】
2005264721.tif 000031
【図３０】
2005264721.tif 000032
【図３１】
2005264721.tif 000033
【図３２】
2005264721.tif 000034
【図３３】
2005264721.tif 000035
【図３４】
2005264721.tif 000036
【図３５】
2005264721.tif 000037
【図３６】
2005264721.tif 000038
【図３７】
2005264721.tif 000039
【図３８】
2005264721.tif 000040
【図３９】
2005264721.tif 000041